(57)【要約】      （修正有）【課題】ペットボトルの圧縮処理工程前に、ペットボトル本体と材質の異なる飲み口部分及びラベルを自動的に取り除くことができるペットボトル圧縮装置を提供する。【解決手段】投入されたペットボトルの飲み口部を飲み口把持部２で掴持し、次いでラベル切断刃３でボトル本体の一面と外装されているラベルを縦方向に切断し、次いで飲み口切断装置５で飲み口部を切断して、ボトル本体のみを圧縮工程に送ることができるペットボトル圧縮装置。【選択図】図１
2010083128.tif 000002
【特許請求の範囲】
【請求項１】
一端にボトル飲み口掴持部を設け、多端の投入口には前後方向に開閉自在の扉を設けた処理室であり、当該処理室は、掴持部側を下方に、投入口側を上方に斜状に配設してなるペットボトル圧縮装置。
【請求項２】
ボトル飲み口掴持部は、ボトルが投入され、当該ボトルの飲み口部が掴持部に至ればセンサーが感知して、飲み口部を掴持すべく構成してなる請求項１のペットボトル圧縮装置。
【請求項３】
ボトル飲み口掴持部は、投入されるボトルの大きさ、即ち、飲み口部の高さに対応した掴持部としてなる請求項１のペットボトル圧縮装置。
【請求項４】
掴持部で飲み口を掴持した状態において、処理室下面に配設されたラベル切断刃が作動し、ボトル下面を飲み口側から底部に向けて、縦方向に切り裂くことにより、ボトルに巻回状態に外装されているラベルを切断すべく構成してなる請求項１のペットボトル圧縮装置。
【請求項５】
掴持部で飲み口を掴持した状態において、ラベル切断刃が上端定位置に達したことをセンサーが感知すれば、飲み口切断装置が作動し、飲み口部をボトル本体から切り離すべく構成してなる請求項１のペットボトル圧縮装置。
【請求項６】
飲み口部が切断されれば、処理室下面の放出扉が開放され、ボトルは下方に設置した圧縮装置に落下すべく構成してなる請求項１のペットボトル圧縮装置。
【請求項７】
開放された放出扉はタイマー設定された所定時間で閉じるように構成され、当該放出扉が閉じればセンサーが感知してラベル切断刃は下方の所定位置に復帰すべく構成してなる請求項１のペットボトル圧縮装置。
【請求項８】
処理室にペットボトルが反対に投入された際には、所定時間、掴持部に飲み口部が入らなければ、処理室下面のラベル切断刃が作動し、当該ラベル切断刃が斜め上方に移動することによりボトルを処理室外に排出すべく構成してなる請求項１のペットボトル圧縮装置。
【発明の詳細な説明】
【技術分野】
【０００１】  本発明は、ペットボトルの圧縮装置に関するものであり、詳しくは、ペットボトル本体と異なる材質部分を取り除いて本体のみを圧縮する装置に関するものである。
【背景技術】
【０００２】  従来、資源保護と自然環境保全の視点から、使用済みのペットボトルの再利用が実行されており、具体的には、科学的処理等によりペットボトルを元のテレフタレート酸と、エチレングリコールとに再生している。【０００３】  回収されたペットボトルは、そのままの形で再生工場へ運ばれ、再生工場にて再生可能部分とその他の部分に分別している。従って、再生工場までは無駄な物を運んでいることになり、回収した場所で再生可能部分とその他の部分に分別して再生可能な部分のみにすることが求められている。【０００４】  ペットボトルは、ペットボトル本体、飲み口及びボトル本体の胴部に巻回外装されてラベルと、通常それぞれが異なる材質で構成されている。即ち、ボトル本体はポリエチレンテレフタレート、キャップはポリプロピレン、ラベルはポリスチレン等で構成されている。【０００５】  キャップ、飲み口の回り止めリング（ボトル本体からキャップを外したときにボトル本体の首部に残っているリング）とかラベルを取り除くには、主としてカッターナイフ等を用いて人手により外しているのが実情である。
【発明の開示】
【発明が解決しようとする課題】
【０００６】  このような問題を解決するには、ペットボトルの圧縮処理工程前に材質の異なる飲み口部分及びラベルを自動的に取り除くこと、それが発明が解決しようとする課題である。
【課題を解決するための手段】
【０００７】  ペットボトル圧縮の一工程の中で、ラベルを切断し、飲み口部分を切断し、そしてボトル本体を圧縮すること、これが課題を解決するための手段である。
【発明の効果】
【０００５】  本発明は、圧縮工程の中で、投入されたペットボトルの飲み口部を掴持し、次いでラベル切断刃でラベルを縦方向に切断し、次いで飲み口部を切断して、ボトル本体のみを圧縮工程に送るので、材質の異なる部位は分別されてポリエチレンテレフタレートのボトル本体のみを再生工場に送ることが出来る。しかも、誤ってペットボトルを逆に、即ちペットボトルの底部側から投入した場合は、所定時間、飲み口掴持部に飲み口部が入ってこなければラベル切断刃が作動して、当該ラベル切断刃でペットボトルを処理室外に排出するので、誤って投入しても不都合が生じることは無い、また、これは誤って空缶等が投入された場合も同じように排出されるものであり、誠に顕著なる効果を有するものである。
【発明を実施するための最良の形態】
【０００６】  本発明は、一端にボトルの飲み口掴持部を設け、多端の投入口には前後方向に開閉自在の扉を設けた処理室であり、当該処理室は、掴持部側を下方に、投入口側を上方に斜状に配設してなるペットボトル圧縮装置であり、更には、ボトル飲み口掴持部は、ボトルが投入され、当該ボトルの飲み口部が掴持部に至ればセンサーが感知して、飲み口部を掴持すべく構成し、更には、ボトルのみ口掴持部は、投入されるボトルの大きさ、即ち、飲み口部の高さに対応した掴持部としてなるものであり、更には、掴持部で飲み口を掴持した状態において、処理室下面に配設されたラベル切断刃が作動し、ボトル下面を飲み口側から底部に向けて、縦方向に切り裂くことにより、ボトルに巻回状態に外装されているラベルを切断すべく構成してなるものであり、更には、掴持部で飲み口を掴持した状態において、ラベル切断刃が上端定位置に達したことをセンサーが感知すれば、飲み口切断装置が作動し、ボトル飲み口部をボトル本体より切り離すべく構成してなるものであり、更には、ボトル飲み口部が切断されれば、処理室下面の放出扉が開放され、ボトルは下方に設置した圧縮装置に落下すべく構成してなるものであり、更には、開放された放出扉はタイマー設定された所定時間で閉じるように構成され、当該放出扉が閉じれば、それをセンサーが感知してラベル切断刃は下方の所定位置に復帰すべく構成してなるものであり、更には、処理室にペットボトルが反対に投入された際には、所定時間、掴持部に飲み口部が入らなければ、処理室下面のラベル切断刃が作動し、当該ラベル切断刃が斜め上方に移動することにより誤って投入されたペットボトルを処理室外に排出すべく構成してなるペットボトル圧縮装置を呈せんとするものである。
【実施例１】
【０００７】  ペットボトル圧縮処理機は、主として処理室１と飲み口掴持部２、ラベル切断刃３、ガイドレール４、飲み口切断装置５、投入口６、投入口扉７、ボトル本体放出扉８、圧縮装置９等により構成されている。【０００８】  処理室１は、飲み口掴持部２を下方に、投入口５を上に斜状に形成されており、投入口５には上端を蝶着された扉７が配設されており、ペットボトルを飲み口側から投入すれば、センサーが感知して当該扉７が前上方へ擺動して、ペットボトルが通過するように構成されている。この扉７は、飲み口掴持部２で飲み口を掴持すれば、センサーが感知して扉７は下方へ擺動して投入口６を閉鎖するように構成されている。【０００９】  飲み口掴持部２は、ペットボトルの大きさ、即ち、ペットボトルを横にしたときの飲み口部の高さに対応して掴持し得るように構成されている。【００１０】  飲み口掴持部２が飲み口を掴持すれば、ラベル切断刃３が作動し、当該ラベル切断刃３がペットボトルの首部分より、底面に向けてガイドレール４に沿って縦方向に移動することにより、ボトル本体の一面と外装されているラベルを同時に切り裂くべく構成されている。【００１１】  投入されたペットボトルの飲み口部が飲み口掴持部２に入ったことをセンサーが感知すれば、飲み口切断装置５が作動して当該ペットボトルの飲み口部をボトル本体より切り離すべく構成されている。【００１２】  飲み口部を切断した飲み口切断装置４が、定位置に復帰したことをセンサーが感知すれば、処理室１の下面に観音扉構造で設置された放出扉８が開放され、ボトル本体は下方に設置されている圧縮装置内９内に投入され圧縮される。
その際、切断された飲み口部は別箇所に排出される。【００１３】  開放された放出扉８は設定された所定時間で閉鎖され、当該放出扉８が閉鎖されたことをセンサーが感知してラベル切断刃３は下方の所定位置に復帰すべく構成している。【００１４】  圧縮装置９は互いに反対方向へ回動する無端状のチエン帯１０によって構成されており、当該チエン帯１０はそれぞれの回転速度が異なっており、圧縮時にボトル本体をずらしながら圧縮するので、切断されているラベルが剥離し易いように構成されている。図示はしていないが、剥離したラベルは風圧により別箇所に飛ばすようにしている。尚、圧縮装置９は当該構造に限定されるものではなく、通常この種の用途に用いる圧縮装置でもよい。【００１５】  尚、１１はラベル切断刃駆動モーター、１２はラベル切断刃駆動チエン、１３は掴持部駆動モーター、１４は飲み口切断装置駆動モーター、１５は投入口扉駆動モーター、１６は投入口扉駆動チエン、１７は放出扉駆動モーター、１８は放出扉駆動機構を示すものである。
【産業上の利用可能性】
【００１６】  本発明は、圧縮工程の中で、投入されたペットボトルの飲み口部を掴持し、次いでラベル切断刃３でラベルを縦方向に切断し、次いで飲み口部を切断して、ボトル本体のみを圧縮工程に送るので、材質の異なる部位は分別されてポリエチレンテレフタレートのボトル本体のみを再生工場に送ることが出来ることから、ペットボトルの再生に向けての処理が極めて容易になり、しかも異なる材質が混入することはなく、危険も伴わず高い処理能力を有し、資源保護と自然環境保全の面からも、その効果は極めて大きく利用可能性は極めて大である。
【図面の簡単な説明】
【００１７】
【図１】  ペットボトル圧縮装置の配置を説明する側面図
【図２】  投入口正面図
【図３】  掴持部正面図
【図４】  飲み口切断装置正面図
【図５】  ラベル切断刃の取り付け構造を示す斜視図
【図６】  放出扉の閉じた状態の正面図
【図７】  放出扉の開いた状態の正面図
【符号の説明】
【００１８】  １  処理室
２  飲み口掴持部
３  ラベル切断刃
４  ガイドレール
５  飲み口切断装置
６  投入口
７  投入口扉
８  放出扉
９  圧縮装置
１０  チエン帯
１１  ラベル切断刃駆動モーター
１２  ラベル切断刃駆動チエン
１３  掴持部駆動モーター
１４  飲み口切断装置駆動モーター
１５  投入口扉駆動モーター
１６  投入口扉駆動チエン
１７  放出扉駆動モーター
１８  放出扉駆動機構０
【図１】
2010083128.tif 000003
【図２】
2010083128.tif 000004
【図３】
2010083128.tif 000005
【図４】
2010083128.tif 000006
【図５】
2010083128.tif 000007
【図６】
2010083128.tif 000008
【図７】
2010083128.tif 000009